(57)【特許請求の範囲】
【請求項１】
携帯機器への設置状態では電気的に導通状態にあり、外部から所定の大きさ以上の衝撃を受けると電気的に遮断状態となる衝撃スイッチであって、
本体ケースに互いに離間して配設された一対の端子と、
前記本体ケースにクリック回動自在に支持されており、前記端子の各々と当接する一対の接点を有した端子片とを備え、
前記端子片は、通常では中立の第１姿勢にあり、一方向から所定の大きさ以上の衝撃を受けることにより該第１姿勢からクリック回動して第２姿勢に保持され、又は他方向から所定の大きさ以上の衝撃を受けることにより前記第１姿勢から前記とは反対方向にクリック回動して第３姿勢に保持されるように構成され、
携帯機器への設置状態では、前記端子片が前記第１姿勢にあって、前記一対の接点が前記一対の端子とそれぞれ当接して電気的に導通状態にあり、
前記本体ケースが外部から所定の大きさ以上の衝撃を受けたとき、前記端子片に慣性力が働き、該端子片が前記第１姿勢からクリック回動して前記第２姿勢又は第３姿勢に保持され、前記いずれかの接点が前記一対の端子から離反して電気的に遮断状態となることを特徴とする衝撃スイッチ。
【請求項２】
前記端子片は、前記本体ケースに回動軸により回動自在、且つ前記端子側に向けて往復移動自在に支持された第１のリンクと、前記第１のリンクと連結軸により回動自在に連結され、前記一対の接点が配された第２のリンクと、前記第１のリンクを前記端子側に向けて付勢し、前記連結軸を介して前記接点を前記端子に押圧させるバネ部材とで構成され、
前記本体ケースが外部から前記一対の端子の並び方向に所定の大きさ以上の衝撃を受けたとき、前記端子片に慣性力が働き、前記バネ部材の付勢力に抗して前記第１のリンクは前記回動軸を中心に回動すると共に、前記第２のリンクは前記一方の接点を中心に回動して前記連結軸は移動し、該連結軸の軸心が前記回動軸と前記一方の接点とを結ぶ線を越えると、前記連結軸は前記バネ部材の付勢力により所定の位置まで移動して停止し、これにより前記端子片が前記第２姿勢又は第３姿勢に保持され、前記他方の接点が該接点に対応する端子から離反して電気的に遮断状態となることを特徴とする請求項１に記載の衝撃スイッチ。
【請求項３】
前記端子片は、前記本体ケースに回動軸により回動自在に支持された第１のリンクと、前記第１のリンクと連結軸により回動自在に連結され、前記一対の接点が配された第２のリンクとで構成され、
前記第１のリンクは、２本の腕部を有したねじりコイルバネで成り、一方の腕部に前記回動軸が掛合されると共に他方の腕部に前記連結軸が掛合され、前記第２のリンクを前記端子側に向けて付勢して前記接点を前記端子に押圧させ、
前記本体ケースが外部から前記一対の端子の並び方向に所定の大きさ以上の衝撃を受けたとき、前記端子片に慣性力が働き、前記第１のリンクは前記回動軸を中心に回動すると共に、該第１のリンクの付勢力に抗して前記第２のリンクは前記一方の接点を中心に回動して前記連結軸は移動し、該連結軸の軸心が前記回動軸と前記一方の接点とを結ぶ線を越えると、前記連結軸は前記第１のリンクの付勢力により所定の位置まで移動して停止し、これにより前記端子片が前記第２姿勢又は第３姿勢に保持され、前記他方の接点が該接点に対応する端子から離反して電気的に遮断状態となることを特徴とする請求項１に記載の衝撃スイッチ。
【請求項４】
前記第２のリンクは、二股形状の導電部材で成り、その頂部に前記連結軸が配されると共に二つの足部に前記一対の接点がそれぞれ配されており、
前記足部は、前記本体ケースの前記端子配設部に隣接して設けられた保持部に回動自在、且つ該端子片が回動するときに前記接点が干渉しないように保持されることを特徴とする請求項１乃至請求項３のいずれか一項に記載の衝撃スイッチ。
【請求項５】
前記本体ケースは、前記連結軸の位置を外部から目視できるように形成されていることを特徴とする請求項１乃至請求項４のいずれか一項に記載の衝撃スイッチ。
【発明の詳細な説明】
【技術分野】
【０００１】
本発明は、携帯機器への設置状態では電気的に導通状態にあり、外部から所定の大きさ以上の衝撃を受けると、電気的に遮断状態となる衝撃スイッチに関する。
【背景技術】
【０００２】
従来より、携帯端末や、ファンヒータやストーブ等の燃焼装置、自動車のエアバック装置等の各種機器に作用する衝撃を検知するものとして、外部からの衝撃に応動して電気的な接続状態が切り替わる衝撃スイッチが知られている。このような衝撃スイッチとして、例えば、互いに離間して配された第１の固定端子及び第２の固定端子と、第１の固定端子に対して移動自在であって該端子と電気的に導通された可動接点と、この可動接点を第２の固定端子に向けて付勢するバネ部材を備えたものがある（例えば、特許文献１参照）。このスイッチでは、通常状態では可動接点がバネ付勢されて第２の固定端子と当接し、第１の固定端子と第２の固定端子間が電気的に導通状態にあり、衝撃を受けると可動接点が揺動して第２の固定接点と離反し、第１の固定端子と第２の固定端子間が一時的に遮断状態となる。
【特許文献１】特開平１１−１５４４４８号公報
【発明の開示】
【発明が解決しようとする課題】
【０００３】
しかしながら、上述のような従来の衝撃スイッチでは、衝撃を受けた後は、可動接点がバネ付勢により元の位置に復帰して第２の固定端子と当接し、通常状態に復帰する。そのため、衝撃を受けたときにスイッチが通電されていない状態であると、衝撃を受けたことを履歴として残すことができない。
【０００４】
近年、様々な小型・携帯機器が人々に供されており、これら機器は落下等による損傷を受けることが多い。このような機器は、許容値を超える大きさの衝撃を受けると、直ちに故障となることがある一方で、衝撃を受けた後しばらく時間が経過してから故障に至る場合や、故障し易くなる場合がある。そのため、該機器が故障して完全に使用できなくなる前に、何らかの対応や対策を施すことができれば、ユーザにとって失うものが少なくて済む可能性がある。しかし、このような機器は一般的にバッテリ駆動であり、不使用時には節電のために電源がオフ状態とされていることが多いので、上述したスイッチが該機器に搭載されていても、損傷を受けたことをユーザに対して告知できない場合がある。
【０００５】
本発明は、上記問題を解決するためになされたものであり、衝撃を受けたときにスイッチが通電されていない状態であっても、衝撃を受けたことを履歴として残すことができる衝撃スイッチを提供することを目的とする。
【課題を解決するための手段】
【０００６】
上記目的を達成するために請求項１の発明は、携帯機器への設置状態では電気的に導通状態にあり、外部から所定の大きさ以上の衝撃を受けると電気的に遮断状態となる衝撃スイッチであって、本体ケースに互いに離間して配設された一対の端子と、前記本体ケースにクリック回動自在に支持されており、前記端子の各々と当接する一対の接点を有した端子片とを備え、前記端子片は、通常では中立の第１姿勢にあり、一方向から所定の大きさ以上の衝撃を受けることにより該第１姿勢からクリック回動して第２姿勢に保持され、又は他方向から所定の大きさ以上の衝撃を受けることにより前記第１姿勢から前記とは反対方向にクリック回動して第３姿勢に保持されるように構成され、携帯機器への設置状態では、前記端子片が前記第１姿勢にあって、前記一対の接点が前記一対の端子とそれぞれ当接して電気的に導通状態にあり、前記本体ケースが外部から所定の大きさ以上の衝撃を受けたとき、前記端子片に慣性力が働き、該端子片が前記第１姿勢からクリック回動して前記第２姿勢又は第３姿勢に保持され、前記いずれかの接点が前記一対の端子から離反して電気的に遮断状態となるものである。
【０００７】
請求項２の発明は、請求項１に記載の発明において、前記端子片は、前記本体ケースに回動軸により回動自在、且つ前記端子側に向けて往復移動自在に支持された第１のリンクと、前記第１のリンクと連結軸により回動自在に連結され、前記一対の接点が配された第２のリンクと、前記第１のリンクを前記端子側に向けて付勢し、前記連結軸を介して前記接点を前記端子に押圧させるバネ部材とで構成され、前記本体ケースが外部から前記一対の端子の並び方向に所定の大きさ以上の衝撃を受けたとき、前記端子片に慣性力が働き、前記バネ部材の付勢力に抗して前記第１のリンクは前記回動軸を中心に回動すると共に、前記第２のリンクは前記一方の接点を中心に回動して前記連結軸は移動し、該連結軸の軸心が前記回動軸と前記一方の接点とを結ぶ線を越えると、前記連結軸は前記バネ部材の付勢力により所定の位置まで移動して停止し、これにより前記端子片が前記第２姿勢又は第３姿勢に保持され、前記他方の接点が該接点に対応する端子から離反して電気的に遮断状態となるものである。
【０００８】
請求項３の発明は、請求項１に記載の発明において、前記端子片は、前記本体ケースに回動軸により回動自在に支持された第１のリンクと、前記第１のリンクと連結軸により回動自在に連結され、前記一対の接点が配された第２のリンクとで構成され、前記第１のリンクは、２本の腕部を有したねじりコイルバネで成り、一方の腕部に前記回動軸が掛合されると共に他方の腕部に前記連結軸が掛合され、前記第２のリンクを前記端子側に向けて付勢して前記接点を前記端子に押圧させ、前記本体ケースが外部から前記一対の端子の並び方向に所定の大きさ以上の衝撃を受けたとき、前記端子片に慣性力が働き、前記第１のリンクは前記回動軸を中心に回動すると共に、該第１のリンクの付勢力に抗して前記第２のリンクは前記一方の接点を中心に回動して前記連結軸は移動し、該連結軸の軸心が前記回動軸と前記一方の接点とを結ぶ線を越えると、前記連結軸は前記第１のリンクの付勢力により所定の位置まで移動して停止し、これにより前記端子片が前記第２姿勢又は第３姿勢に保持され、前記他方の接点が該接点に対応する端子から離反して電気的に遮断状態となるものである。
【０００９】
請求項４の発明は、請求項１乃至請求項３のいずれか一項に記載の発明において、前記第２のリンクは、二股形状の導電部材で成り、その頂部に前記連結軸が配されると共に二つの足部に前記一対の接点がそれぞれ配されており、前記足部は、前記本体ケースの前記端子配設部に隣接して設けられた保持部に回動自在、且つ該端子片が回動するときに前記接点が干渉しないように保持されるものである。
【００１０】
請求項５の発明は、請求項１乃至請求項４のいずれか一項に記載の発明において、前記本体ケースは、前記連結軸の位置を外部から目視できるように形成されているものである。
【発明の効果】
【００１１】
請求項１の発明によれば、外部から所定の大きさ以上の衝撃を受け、いずれかの接点が一対の端子から離反して電気的に遮断状態となると、その状態が保持されるので、該衝撃を受けたことが機械的な履歴として残る。従って、本スイッチが小型・携帯機器に搭載され、上記衝撃を受けたときにそれら機器の電源がオフ状態にあり、本スイッチが通電されていない状態であっても、その後に該機器の電源がオンされたとき、該機器がその前に衝撃を受けたことを検知することができ、ひいては、ユーザに対して音声や映像等で対応／対策メッセージ等を告知することが可能となる。
【００１２】
請求項２の発明によれば、電気的に遮断状態となると、その状態がバネ部材の付勢力により確実に保持されるので、スイッチとしての信頼性を高く維持できる。また、一対の端子間の導通が、複数の伝達部材を経由するのでなくひとつの部材、すなわち第２のリンクによって行われるため、伝達部材間の接触状態によるロス等を見込む必要が無く、スイッチとしての信頼性が一層高く維持できる。
【００１３】
請求項３の発明によれば、請求項２と同様の効果を持つ衝撃スイッチが得られる。
【００１４】
請求項４の発明によれば、第２のリンクの回動動作がスムーズとなり、外部から所定の大きさ以上の衝撃を受けたことが機械的な履歴として確実に残る。
【００１５】
請求項５の発明によれば、端子片が第１姿勢、第２姿勢又は第３姿勢のいずれにあるかを外部から視認できるので、ユーザは、本スイッチを通電することなく該スイッチが所定の大きさ以上の衝撃を受けたどうかを知ることができる。
【発明を実施するための最良の形態】
【００１６】
（第１の実施形態）
本発明の第１の実施形態に係る衝撃スイッチについて図１乃至図７を参照して説明する。図１乃至図４は本実施形態に係る衝撃スイッチ（以下、本スイッチという）１の構成を示す。以下の説明では、本スイッチ１において後述する本体ケースの蓋部が位置する側、つまり図１における手前側を本スイッチ１の前側とし、後述する収容部の底部が位置する側、つまり図１における奥側を本スイッチ１の後側とする。本スイッチ１は、携帯端末や、ファンヒータ等の燃焼装置、自動車のエアバック装置等の各種機器に作用する衝撃を検知するためのものであり、携帯機器への設置状態では電気的に導通状態にあり、外部から所定の大きさ以上の衝撃を受けると電気的に遮断状態となるものである。本スイッチ１は、本体ケース２と、本体ケース２に互いに離間して配設された一対の端子３ａ、３ｂと、本体ケース２にクリック回動自在に支持されており、端子３ａ、３ｂの各々と当接する一対の接点４ａ、４ｂを有した端子片５とを備える。
【００１７】
端子片５は、本体ケース２に回動軸６により回動自在、且つ端子３ａ、３ｂのケース内部分３１、３２側に向けて往復移動自在に支持された第１のリンク７と、第１のリンク７と連結軸８により回動自在に連結され、上述の一対の接点４ａ、４ｂが配された第２のリンク９と、回動軸６を介して第１のリンク７を端子３ａ、３ｂのケース内部分３１、３２側に向けて付勢するバネ部材１０とを備える。ここで、回動軸６及び連結軸８は、第１のリンク７に植立されている。これにより、端子片５は、通常では中立の第１姿勢にあり、一方向から所定の大きさ以上の衝撃を受けることにより第１姿勢からクリック回動して第２姿勢に保持され、さらに他方向から所定の大きさ以上の衝撃を受けることにより第１姿勢から上記とは反対方向にクリック回動して第３姿勢に保持される。第１姿勢、第２姿勢及び第３姿勢については、後に図示する。
【００１８】
本体ケース２は、上述の端子３ａ、３ｂ、及び端子片５を収容する前面側が開放された箱型の収容部２１と、収容部２１を覆い収容部２１に対して着脱自在な蓋体２２とを有する。収容部２１及び蓋体２２は、プラスチック等の樹脂部材で成るものである。収容部２１は、底部２１ａと４つの側壁部２１ｂ、２１ｃ、２１ｄ、２１ｅで構成されており、側壁部２１ｃ側には、端子３ａ、３ｂが配設される端子配設部２３と、接点４ａ、４ｂを保持する保持部２４とが一体的に設けられている。保持部２４は、第２のリンク９が接点４ａ、４ｂのうち一方の接点を中心に回動自在となるように、第２のリンク９側が開放された凹状形状となっている。底部２１ａと蓋体２２には、回動軸６が遊嵌される互いに対向したガイド溝２５が形成されており、ガイド溝２５はその方向が一対の端子３ａ、３ｂの並び方向と略垂直となるように形成されている。蓋体２２の中央には、ユーザが連結軸８の位置を外部から目視するための窓２６が形成されている。
【００１９】
端子３ａ、３ｂは、板状の導電部材で成り、収容部２１の側壁部２１ｃの内面と底部２１ａの背面に沿うように略直角に折り曲げられている。端子３ａ、３ｂの、側壁部２１ｃの内面に沿う部分、つまり上述のケース内部分３１、３２は、底部２１ａを貫通して前方に向かって延在しており、接点４ａ、４ｂとそれぞれ当接する。端子３ａ、３ｂの、底部２１ａの背面に沿う部分３３、３４は、本体ケース２の側方に延出しており、各種機器と接続される。
【００２０】
第１のリンク７は、板状部材で成り、その一端側には回動軸６が貫入固定され、他端側には連結軸８が貫入固定されている。第２のリンク９は、左右対称の二股形状の導電部材で成り、第１のリンク７の前方に配されている。第２のリンク９の頂部には連結軸８が挿通され、第２のリンク９の二つの足部には接点４ａ、４ｂがそれぞれ配されている。一対の接点４ａ、４ｂとなる二つの足部の先端は、上述の保持部２４の側壁部分と当接可能な円弧形状とされている。
【００２１】
バネ部材１０は、収容部２１に交換自在に保持されたトーションバネであって、コイル部１１が収容部２１の底部２１ａに形成された突出部２７に挿入され、コイル部１１から延出するバネの一端部１２が、側壁部２１ｂと回動軸６の間に配設されている。バネ部材１０の付勢力は、連結軸８を介して第２のリンク９に伝達され、これにより接点４ａ、４ｂが端子３ａ、３ｂに押圧される。
【００２２】
ここで、本スイッチ１において電気的に遮断状態となる衝撃の大きさ、つまり本器具で検知可能な衝撃加速度の設定値は、バネ部材１０のバネの荷重や、第１のリンク７及び第２のリンク９の形状や重量等によって決定される。
【００２３】
次に、上記のように構成された衝撃スイッチ１の動作について図５乃至図７を参照して説明する。図５乃至図７においては、本体ケース２の蓋体２２を省略している。図５は、端子片５が中立な第１姿勢にある状態を示す。携帯機器への設置状態では、端子片５が第１姿勢にあって、第２のリンク９の接点４ａ、４ｂが端子３ａ、３ｂとそれぞれ当接し、一対の端子３ａ、３ｂ間が電気的に導通状態にある。このとき、連結軸８の軸心は、回動軸６の軸心と接点４ａの中心を結ぶ線６１と、回動軸６の軸心と接点４ｂの中心を結ぶ線６２とから成る角を二等分する線６３上に位置している。
【００２４】
図６は、端子片５が第２姿勢にある状態を示す。本体ケース２が外部から一対の端子３ａ、３ｂの並び方向に所定の大きさ以上の衝撃を受けることにより、第１のリンク７及び第２のリンク９に端子３ｂから端子３ａに向かう図中矢印Ａの方向に慣性力が働くと、バネ部材１０の付勢力に抗して、第１のリンク７は回動軸６を中心に図中矢印Ｂの方向に回動すると共に、第２のリンク９は接点４ａの中心を軸に図中矢印Ｃの方向に回動する。この第１のリンク７及び第２のリンク９の回動により連結軸８は図中矢印Ｄの方向に移動し、連結軸８の軸心が回動軸６の軸心と接点４ａの中心を結ぶ線６１を越えると、連結軸８はバネ部材１０の付勢力により所定の位置まで移動して停止する。つまり、端子片５が第１姿勢からクリック回動して第２姿勢に保持されることになり、接点４ｂが端子３ｂから離反して一対の端子３ａ、３ｂ間が電気的に遮断状態となる。
【００２５】
図７は、端子片５が第３姿勢にある状態を示す。本体ケース２が外部から一対の端子３ａ、３ｂの並び方向に所定の大きさ以上の衝撃を受けることにより、第１のリンク７及び第２のリンク９に端子３ａから端子３ｂに向かう図中矢印Ｅの方向に慣性力が働くと、バネ部材１０の付勢力に抗して第１のリンク７は回動軸６を中心に図中矢印Ｆの方向に回動すると共に、第２のリンク９は接点４ｂの中心を軸に図中矢印Ｇの方向に回動する。この第１のリンク７及び第２のリンク９の回動により連結軸８は図中矢印Ｈの方向に移動し、連結軸８の軸心が回動軸６の軸心と接点４ｂの中心とを結ぶ線６２を越えると、連結軸８はバネ部材１０の付勢力により所定の位置まで移動して停止する。つまり、端子片５が第１姿勢からクリック回動して第３姿勢に保持されることになり、これにより、接点４ａが端子３ａから離反して一対の端子３ａ、３ｂ間が電気的に遮断状態となる。
【００２６】
以上のように、本実施形態に係る衝撃スイッチ１によれば、外部から所定の大きさ以上の衝撃を受け、一対の端子３ａ、３ｂ間が電気的に遮断状態となると、その状態が保持されるので、該衝撃を受けたことが機械的な履歴として残る。従って、本スイッチ１が小型・携帯機器に搭載され、上記衝撃を受けたときにそれら機器の電源がオフ状態にあり、本スイッチ１が通電されていない状態であっても、その後に該機器の電源がオンされたとき、該機器がその前に衝撃を受けたことを検知することができ、ひいては、ユーザに対して音声や映像等で対応／対策メッセージ等を告知することが可能となる。
【００２７】
また、電気的に遮断状態となると、その状態がバネ部材１０の付勢力により確実に保持されるので、スイッチとしての信頼性を高く維持できる。また、一対の端子間の導通が、複数の伝達部材を経由するのでなくひとつの部材、すなわち第２のリンク９によって行われるため、伝達部材間の接触状態によるロス等を見込む必要が無く、スイッチとしての信頼性が一層高く維持できる。また、本スイッチ１は簡便な構成であるので、低コストである。また、バネ部材１０のバネの荷重を変更することで、本スイッチ１における検知可能な衝撃加速度の設定値を容易に変更できる。また、窓２６が形成されているので、端子片５が第１姿勢、第２姿勢又は第３姿勢のいずれにあるかを外部から視認でき、ユーザは本スイッチ１を通電することなく、該スイッチ１が所定の大きさ以上の衝撃を受けたどうかを知ることができる。
【００２８】
（第２の実施形態）
本発明の第２の実施形態に係る衝撃スイッチについて図８乃至図１３を参照して説明する。図８乃至図１０は本実施形態に係る衝撃スイッチ１の構成を示す。本実施形態において、端子片５は、本体ケース２に回動軸６により回動自在に支持され、上述したバネ部材１０の機能を有した第１のリンク７と、上述と同様の第２のリンク９とを備える。第１のリンク７は、２本の腕部７１、７２を有したねじりコイルバネで成り、一方の腕部７１に回動軸６が掛合されると共に他方の腕部７２に連結軸８が掛合されている。ここで、回動軸６は本体ケース２の収容部の底部２１ａに植立されており、連結軸８は第２のリンク９に植立されている。第１のリンク７は、第２のリンク９を端子３ａ、３ｂのケース内部分３１、３２側に向けて付勢し、接点４ａ、４ｂを端子３ａ、３ｂに押圧させる。その他の構成については第１の実施形態と同様である。
【００２９】
次に、上記のように構成された衝撃スイッチ１の動作について図１１乃至図１３を参照して説明する。図１１乃至図１３においては、本体ケース２の蓋体２２を省略している。図１１は、端子片５が中立な第１姿勢にある状態を示す。携帯機器への設置状態では、端子片５が第１姿勢にあって、第２のリンク９の接点４ａ、４ｂが端子３ａ、３ｂとそれぞれ当接し、一対の端子３ａ、３ｂ間が電気的に導通状態にある。このとき、連結軸８の軸心は、回動軸６の軸心と接点４ａの中心を結ぶ線６１と、回動軸６の軸心と接点４ｂの中心を結ぶ線６２とから成る角を二等分する線６３上に位置している。
【００３０】
図１２は、端子片５が第２姿勢にある状態を示す。第１の実施形態と同様に本体ケース２が衝撃を受けることにより、第１のリンク７及び第２のリンク９に端子３ｂから端子３ａに向かう図中矢印Ａの方向に慣性力が働くと、第１のリンク７は回動軸６を中心に図中矢印Ｂの方向に回動すると共に、第１のリンク７の付勢力に抗して第２のリンク９は接点４ａの中心を軸に図中矢印Ｃの方向に回動する。これにより、連結軸８は図中矢印Ｄの方向に移動し、連結軸８の軸心が上記線６１を越えると、連結軸８は第１のリンク７の付勢力により所定の位置まで移動して停止する。つまり、端子片５が第１姿勢からクリック回動して第２姿勢に保持されることになり、接点４ｂが端子３ｂから離反して一対の端子３ａ、３ｂ間が電気的に遮断状態となる。
【００３１】
図１３は、端子片５が第３姿勢にある状態を示す。上述と同様に本体ケース２が衝撃を受けることにより、第１のリンク７及び第２のリンク９に端子３ａから端子３ｂに向かう図中矢印Ｅの方向に慣性力が働くと、第１のリンク７は回動軸６を中心に図中矢印Ｆの方向に回動すると共に、第１のリンク７の付勢力に抗して第２のリンク９は接点４ｂの中心を軸に図中矢印Ｇの方向に回動する。これにより連結軸８は図中矢印Ｈの方向に移動し、連結軸８の軸心が上記線６２を越えると、連結軸８はバネ部材１０の付勢力により所定の位置まで移動して停止する。つまり、端子片５が第１姿勢からクリック回動して第３姿勢に保持されることになり、これにより、接点４ａが端子３ａから離反して一対の端子３ａ、３ｂ間が電気的に遮断状態となる。以上により、本実施形態の衝撃スイッチ１においても、第１の実施形態と同様の効果が得られる。
【００３２】
なお、本発明は、上記実施形態の構成に限られず、発明の趣旨を変更しない範囲で種々の変形が可能である。例えば、バネ部材１０は、側壁部２１ｂと回動軸６の間に設けられた圧縮コイルバネであってもよい。また、収容部２１及び蓋体２２は、連結軸８の位置を外部から目視できるように透明部材で成るものであってもよい。
【図面の簡単な説明】
【００３３】
【図１】本発明の第１の実施形態に係る衝撃スイッチを前側から視た斜視図。
【図２】上記衝撃スイッチの蓋体を除いて前側から視た斜視図。
【図３】上記衝撃スイッチを後側から視た斜視図。
【図４】第１のリンクと本体ケースとの連結構成、及び第１のリンクと第２のリンクとの連結構成を示す断面斜視図。
【図５】上記衝撃スイッチにおいて端子片が第１姿勢にある状態の平面図。
【図６】上記衝撃スイッチにおいて端子片が第２姿勢にある状態の平面図。
【図７】上記衝撃スイッチにおいて端子片が第３姿勢にある状態の平面図。
【図８】本発明の第２の実施形態に係る衝撃スイッチを前側から視た斜視図。
【図９】上記衝撃スイッチの蓋体を除いて前側から視た斜視図。
【図１０】上記衝撃スイッチを後側から視た斜視図。
【図１１】上記衝撃スイッチにおいて端子片が第１姿勢にある状態の平面図。
【図１２】上記衝撃スイッチにおいて端子片が第２姿勢にある状態の平面図。
【図１３】上記衝撃スイッチにおいて端子片が第３姿勢にある状態の平面図。
【符号の説明】
【００３４】
１  衝撃スイッチ
２  本体ケース
３ａ、３ｂ  端子
４ａ、４ｂ  接点
５  端子片
６  回動軸
７  第１のリンク
８  連結軸
９  第２のリンク
１０  バネ部材
２３  端子配設部
２４  保持部
７１、７２  腕部
【図１】
0005095512.tif 000002
【図２】
0005095512.tif 000003
【図３】
0005095512.tif 000004
【図４】
0005095512.tif 000005
【図５】
0005095512.tif 000006
【図６】
0005095512.tif 000007
【図７】
0005095512.tif 000008
【図８】
0005095512.tif 000009
【図９】
0005095512.tif 000010
【図１０】
0005095512.tif 000011
【図１１】
0005095512.tif 000012
【図１２】
0005095512.tif 000013
【図１３】
0005095512.tif 000014